(57)【要約】【課題】            構造簡単で安価に製造でき、さらに視覚的に訴えたり、マラカス音以外の音声を発声できるように工夫することにより、聴覚的にも訴えるようにしたりして、おもちゃとして子供達の興趣を湧かしむるように工夫した、おもちゃのマラカスを提供する。【解決手段】        合成樹脂成形品の握持部と、この握持部に連設して設けた同じく合成樹脂成形品の中空の球体部と、前記握持部に設けたスイッチ部と、前記球体部内側に仕切壁を設けることによって形成された小粒片収納室と、この小粒片収納室内に収納された多数の小粒片と、前記球体部に設けた発光表示手段と、前記握持部か前記球体部のいずれか一方に設けられた電源収容部に収容された電源と、前記球体部に設けた発光表示手段とで構成し、この発光表示手段を、前記球体部の全部或は一部に形成させた光透過手段と、前記球体部内に設けられ前記光透過手段を介して外部へ光を放射する光源で構成する。【選択図】          図３
0003104238.tif 000002
【実用新案登録請求の範囲】
【請求項１】
合成樹脂成形品の握持部と、この握持部に連設して設けた同じく合成樹脂成形品の中空の球体部と、前記握持部に設けたスイッチ部と、前記球体部内側に仕切壁を設けることによって形成された小粒片収納室と、この小粒片収納室内に収納された多数の小粒片と、前記球体部に設けた発光表示手段と、前記握持部か前記球体部のいずれか一方に設けられた電源収容部に収容された電源と、前記球体部に設けた発光表示手段とで構成し、この発光表示手段を、前記球体部の全部或は一部に形成させた光透過手段と、前記球体部内に設けられ前記光透過手段を介して外部へ光を放射する光源で構成したことを特徴とする、おもちゃのマラカス。
【請求項２】
前記握持部或は球体部のいずれか一方にはさらに、音声発声手段を設けたことを特徴とする、請求項１に記載のおもちゃのマラカス。
【請求項３】
前記発光表示手段を、光不透過性材質のもので構成した球体部と、この球体部に設けた取付孔よりその一部を露出させて取り付けた光透過性材質の光透過手段と、この光透過手段内部に収納させた光源とで構成したことを特徴とする、請求項１乃至２のいずれかに記載のおもちゃのマラカス。
【請求項４】
前記光透過手段は、前記球体部の全部或は一部を光透過性材質のものとすることによって構成されていることを特徴とする、請求項１乃至３のいずれかに記載のおもちゃのマラカス。
【請求項５】
前記光透過手段は、キャラクター人形のような図柄を表示させたことを特徴とする、請求項１乃至４のいずれかに記載のおもちゃのマラカス。
【考案の詳細な説明】
【技術分野】
【０００１】
この考案は、発光表示手段や音声発声手段を設けた、構造簡単なおもちゃのマラカスに関する。
【背景技術】
【０００２】
握持部と、この握持部に連設した中空の球体部とから成り、球体部の中に小粒片を収納させることにより、握持部を手に持って握ると、小粒片同士が球体部内側に衝突したり、互いに衝突したり、摩擦したりして音を発するようにしたマラカスは、とくにラテン音楽の楽器として知られている。
【考案の開示】
【考案が解決しようとする課題】
【０００３】
これらの楽器としてのマラカスは、これをそのまま子供達のおもちゃとして用いるのは、その大きさや、本来の利用目的、及び価格等からして適当とは言えず、おもちゃとして用いる場合には、安価に提供でき子供達が興趣を湧かせるように工夫する必要がある。
【０００４】
この考案の目的は、構造簡単で安価に製造でき、さらに視覚的に訴えたり、マラカス音以外の音声を発声できるように工夫することにより、聴覚的にも訴えるようにしたりして、おもちゃとして子供達の興趣を湧かしむるように工夫した、おもちゃのマラカスを提供せんとするにある。
【課題を解決するための手段】
【０００５】
上述した目的を達成するためにこの考案は、合成樹脂成形品の握持部と、この握持部に連設して設けた同じく合成樹脂成形品の中空の球体部と、前記握持部に設けたスイッチ部と、前記球体部内側に仕切壁を設けることによって形成された小粒片収納室と、この小粒片収納室内に収納された多数の小粒片と、前記球体部に設けた発光表示手段と、前記握持部か前記球体部のいずれか一方に設けられた電源収容部に収容された電源と、前記球体部に設けた発光表示手段とで構成し、この発光表示手段を、前記球体部の全部或は一部に形成させた光透過手段と、前記球体部内に設けられ前記光透過手段を介して外部へ光を放射する光源で構成したことを特徴とする。
【０００６】
その際にこの発明は、前記握持部或は球体部のいずれか一方に、音声発声手段を設けることができる。
【０００７】
この発明はさらに、前記発光表示手段を、光不透過性材質のもので構成した球体部と、この球体部に設けた取付孔よりその一部を露出させて取り付けた光透過性材質の光透過手段と、この光透過手段内部に収納させた光源とで構成することができる。
【０００８】
この発明はさらに、前記光透過手段を、前記球体部の全部或は一部を光透過性材質のものとすることによって構成することができる。
【０００９】
そして、この発明は、前記光透過手段に、キャラクター人形のような図柄を表示させるものである。
【考案の効果】
【００１０】
この考案は以上のように構成したので、構成材料によるコストを抑え、構成を簡単にできるので、安価に提供できて子供達がマラカスとして使用することができる上に、発光表示手段により視覚に訴え、音声発声手段により聴覚に訴えることにより、一層子供達の興趣を湧かせることができる。
【考案を実施するための最良の形態】
【００１１】
【実施例１】
【００１２】
図面はこの考案の一実施例を示し、図１乃至図４において、指示記号１で示したマラカス本体は、合成樹脂製の握持部２と、この握持部２に連設された同じく合成樹脂製の中空の球体部３とから成る。握持部２は、これを縦方向に２つ割りした左右一対のボート状部材２ａ，２ｂを重ね合わせて両者をネジ着、或は接着、溶着等の固着手段で固着して成り、下側に電池収納部４が設けられ、上側にスイッチ部５が設けられている。電池収納部４内には、複数のボタン電池から成る電源６が収納され、電池蓋４ａによって開口部側が覆われている。
【００１３】
スイッチ部５は、とくに図４に示したように、握持部２に設けた取付孔２ｃよりその先端側を突出させた押釦部材７と、この押釦部材７に取り付けたラッパ状の弾性ゴムから成る弾性手段８と、この弾性手段８の中に押釦部材７に固着させて設けた導電部材９とで構成されており、弾性手段８の先端を握持部２の内部に取り付けた回路基板１０に当接させている。そして、押釦部材７は弾性手段８の弾力により取付孔２ｃへ保持されている。
【００１４】
球体部３は握持部２の上部に一体に形成された合成樹脂製の下側部分１１と、この下側部分１１の上部に嵌着固定された上側部分１２とから成り、上側部分１２はさらに左右に分割されることにより、半椀状の第１部材１２ａと第２部材１２ｂに分かれている。尚、この上側部分１２は半椀状に分割しなくとも椀状に形成することができる。そして、この上側部分１２は、例えば乳白色の光透過性材質の合成樹脂で構成されることにより、光透過手段１４を構成している。
【００１５】
握持部２と一体に形成された球体部３の下側部分１１の開放端側には、仕切壁１１ａが設けられ、この仕切壁１１ａに上側部分１２の側へその発光部を露出させて例えばＬＥＤランプのような光源１３ａ，１３ｂが取り付けられており、この光源１３ａ，１３ｂと光透過性材質のもので構成した上側部分１２の光透過手段１４で発光表示手段１５を構成している。
【００１６】
球体部３の上側部分１２は、仕切壁１１ａによって仕切られることにより、小粒片収納室１８が形成され、この小粒片収納室１８内には多数の合成樹脂製の小粒片１９が収納されている。そして、光源１３ａ，１３ｂは導線１６によって回路基板１０へ接続され、回路基板１０は同じく導線１７によって電源６に接続されている。尚、電源６はボタン電池に限定されない。他の乾電池などの電源であっても良い。
【００１７】
したがって、図３の状態から図１乃至図２に示した状態に組み立て、握持部２を片手に持って振ると、多数の小粒片１９が互いに衝突したり、摩擦したり、球体部３の小粒片収納室１８の内壁に衝突したりして、「シャカ、シャカ」というマラカス音が発生する。
【００１８】
この時、スイッチ部５の押釦部材７を押すと、光源が１３ａ，１３ｂが点灯し、その光が球体部３の光透過性材質で構成した上側部分１２の光透過手段１４を透過して外部へ放射されることにより、球体部３を光らせることが可能となる。同時に暗いところでは球体部３の外側に表示されたキャラクター人形や文字等の図柄２０が透過光によって浮かび上がる構成である。
【００１９】
発光表示手段１５の点灯方法は、光源１３ａ，１３ｂからの発光色を異ならせて、別々に或は同時に発光させたり、点滅させたりすることが回路基板１０に搭載した図示してない制御回路によって可能である。
【００２０】
この発光表示手段１５による上記の各種発光は、スイッチ部５の押釦部材７を１回押すことによって、自動的に行うようにしても良いし、押釦部材７を１回ずつ押すことによって、発光方法を変えるようにしても良い。
【実施例２】
【００２１】
図５乃至図７は、他の実施例を示し、図面によれば、指示記号２１で示したマラカス本体は、合成樹脂製の握持部２２と、この握持部２２に一体に連設された同じく合成樹脂製の中空の球体部２３とから成る。尚、握持部２２と球体部２３の材料は光不透過性材質のものである。握持部２２と球体部２３は、これらを縦方向に２つ割りした左右一対のボート状部材２１ａ，２１ｂを重ね合わせてネジ着、或は貼着、溶着等の固着手段で固着して成り、握持部２２の下側に電池収納部２４が設けられ、上側にスイッチ部２５が設けられている。電池収納部２４内には、複数のボタン電池から成る電源２６が収納され、電池蓋２４ａによって開口部側が覆われている。
【００２２】
スイッチ部２５は、とくに図６に示したように、握持部２２に設けた取付孔２２ａよりその一部を突出させた押釦部材２７と、この押釦部材２７に取り付けたラッパ状の弾性ゴムから成る弾性手段２８と、この弾性手段２８の中に押釦部材２７に固着させて設けた導電部材２９とで構成されており、弾性手段２８の先端を握持部２２の内部に取り付けた回路基板３０に当接させている。その構成は先の実施例１のものと同じである。
【００２３】
球体部２３内部には、仕切壁３１ａが設けられ、この仕切壁３１ａによって仕切られた球体部２３内部には、小粒片収納室３２が形成され、この小粒片収納室３２内には多数の合成樹脂製の小粒片３３が収納されている。球体部２３には取付孔２３ａが設けられ、この取付孔２３ａより、光透過性材質のもので作ってキャラクター人形などの図柄３８を表示した光透過手段３４の一部が露出して取り付けられている。この光透過手段３４は中空のものであり、内部にＬＥＤのような光源３５が取り付けられている。そして、この光透過手段３４と光源３５で発光表示手段３６を構成している。
【００２４】
仕切壁３１ａの略中央部には、さらにスピーカーのような音声発声手段３７が取り付けられており、この音声発声手段３７と光源３５からは導線３９，４０が導出され、回路基板３０に接続されている。回路基板３６からはさらに導線４１が導出され電源２６に接続されている。球体部２３には音声発声手段３７に近接して複数の透孔２３ｂ，２３ｂ・・・が設けられている。
【００２５】
したがって、図７の状態から図５乃至図６に示した状態に組み立て、握持部２２を手に持って握ると、多数の小粒片３３が互いに衝突したり、摩擦したり、球体部２３の小粒片収納室３２の内壁に衝突したりする際の「シャカ、シャカ」というマラカス音が発生する。
【００２６】
同時に、或は単独でスイッチ部２５の押釦部材２７を押すと、光源３５が点灯し、その光が球体部２３に設けた光透過手段３４を透過して外部へ放射されることにより、キャラクター人形を模した光透過手段３４を光らせることができる。
【００２７】
さらに、発光表示手段３６の点灯を同時、或は押釦部材２７に押圧により音声発声手段３７より人声、動物の鳴声、音楽等の音声が一定時間発声される。
【００２８】
この発光表示手段３６は複数の発光色の発光、点滅等を行うように構成することができる。
【産業上の利用可能性】
【００２９】
この発明に係るおもちゃのマラカスは、簡単な構造を有し、軽く、小型で、安価に提供でき、かつ視覚的や聴覚的に訴えることができるので、子供達に与えるおもちゃとして最適である。
【図面の簡単な説明】
【００３０】
【図１】この考案に係るおもちゃのマラカスの正面図である。
【図２】図１に示したおもちゃのマラカスのＡ−Ａ線断面図である。
【図３】図１に示したおもちゃのマラカスの分解斜視図である。
【図４】スイッチ部の拡大断面図である。
【図５】この考案に係るおもちゃのマラカスの他の実施例を示す正面図である。
【図６】図５に示したおもちゃのマラカスのＢ−Ｂ線断面図である。
【図７】図５に示したおもちゃのマラカスの分解斜視図である。
【符号の説明】
【００３１】
１  マラカス本体
２  握持部
２ａ  ボート状部材
２ｂ  ボート状部材
２ｃ  取付孔
３  球体部
４  電池収納部
４ａ  電池蓋
５  スイッチ部
６  ボタン電池（電源）
７  押釦部材
８  弾性手段
９  導電部材
１０  回路基板
１１  下側部分
１１ａ  仕切壁
１２  上側部分
１２ａ  第１部材
１２ｂ  第２部材
１３ａ  光源
１３ｂ  光源
１４  光透過手段
１５  発光表示手段
１６  導線
１７  導線
１８  小粒片収納室
１９  小粒片
２０  図柄
２１  マラカス本体
２１ａ  ボート状部材
２１ｂ  ボート状部材
２２  握持部
２２ａ  取付孔
２３  球体部
２３ａ  取付孔
２３ｂ  透孔
２４  電池収納部
２４ａ  電池蓋
２５  スイッチ部
２６  ボタン電池（電源）
２７  押釦部材
２８  弾性手段
２９  導電部材
３０  回路基板
３１ａ  仕切壁
３２  小粒片収納室
３３  小粒片
３４  光透過手段
３５  光源
３６  発光表示手段
３７  音声発声手段
３８  図柄
３９  導線
４０  導線
４１  導線
【図１】
0003104238.tif 000003
【図２】
0003104238.tif 000004
【図３】
0003104238.tif 000005
【図４】
0003104238.tif 000006
【図５】
0003104238.tif 000007
【図６】
0003104238.tif 000008
【図７】
0003104238.tif 000009